(57)【特許請求の範囲】
【請求項１】
自立性のない合成樹脂製のフィルム、シート類を、自立性のある板の一面に沿わせて、該自立性のある板の展張する方向の両端側面にて貼り付け、且つ、フィルム、シート類を間に介して自立性のある板を、四角形の枠体に嵌合することにより、フィルム、シート類を枠体に展張支持するための治具であって、自立性のある板は、フィルム、シート類を展張する面側の展張する方向の両端にＲ状の凸部が設けられており、該Ｒ状の凸部および板側面部を含む板周辺部において枠体にフィルム、シート類を介して嵌合するものであり、フィルム、シート類を自立性のある板に沿わせてシート側面にて貼り付けた際には、自立性のある板の両端のＲ状の凸部から板側面にかけてフィルム、シートとの間に隙間が形成されており、枠体のフィルム、シート類と接する側に、枠体にフィルム、シート類を間に介して板を嵌合する際に、フィルム、シート類を押し延ばしながら前記隙間を無くし、嵌合できる角部を設けていることを特徴とするフィルム、シート類の展張支持治具。
【請求項２】
請求項１におけるフィルム、シート類がプロジェクションスクリーン用のフィルムないしシートで、自立性のある板は、少なくとも一面にレンズを配設したレンズシートであり、且つ、フィルム、シート類をレンズ面側に沿わせて、自立性のあるシートのフィルムシートを展張する方向の両端側面にて貼り付けるものであることを特徴とするフィルム、シート類の展張支持治具。
【請求項３】
請求項２におけるレンズシートのＲ状の凸部の高さは、レンズ面の高さよりも高いことを特徴とするフィルム、シート類の展張支持治具。
【請求項４】
請求項１ないし３における角部は、展張する力（展張力）を調整するための弾力性を有するものであることを特徴とするフィルム、シート類の展張支持治具。
【請求項５】
請求項１ないし４において、枠体の１組みの対向する２辺にてフィルム、シート類を展張支持していることを特徴とするフィルム、シート類の展張支持治具。
【請求項６】
請求項１ないし５における、自立性のある板へのフィルム、シート類の貼り付けは、ヒートシール法ないし超音波融着法により固定したものであることを特徴とするフィルム、シート類の展張支持治具。
【発明の詳細な説明】
【０００１】
【産業上の利用分野】
本発明は，自立性のないフィルム、シート類を自立性のあるレンズシートに沿わせて枠体に展張支持する治具に関し、特に、テレビジョン等のプロジェクションスクリーン用のフィルムないしシートを展張支持する治具に関する。
【０００２】
【従来の技術】
テレビジョン等のプロジェクションスクリーン用のフレネルレンズにおいては、従来は、自立性のある比較的厚いシートを用い、同心円状にレンズを形成したサーキュラーフレネルレンズが主体で、熱プレスによる成形や紫外線硬化型樹脂を用いた金型による成形がなされていた。
近年は、レンズの光学的損失などによる画質の低下を少なくするためのレンズシートの薄板化と、生産性向上のための連続生産の要望から、薄いフィルム上にレンズを形成したものが製作されるようになってきた。
例えば、レンズを直線状に平行に並列して形成したリニアフレネルレンズは、形状が直線状になっているため、その作製には、グラビア印刷機を応用した機械により、連続した薄いフィルム上に紫外線硬化性の樹脂を所定の形状に転写して、紫外線により硬化させて、リニアフレネルレンズを形成する紫外線硬化法等の方法が採られていた。
このようにして作製される薄くて自立性に乏しいフィルムレンズをプロジェクションスクリーンとして使用する際の展張支持方法としては、剛性のある板、例えばレンチキュラーレンズシートに抱き合わせる第一の方法、フィルム自体を枠体やキャビネット等の支持物に支持しながら張る第二の方法が知られているが、シワ、弛みの発生確率を考慮した生産性の面や一層の薄板化という面からは第二の方法の方が優れている。
しかし、フィルム自体を枠体やキャビネット等の支持物に支持しながら張る第二の方法の場合、確実な固定は難しく、また、フィルムに対してシワを発生させずに、テンション（張力）を掛け続けることは難しく、固定にもかなりコツが必要であった。即ち、この第二の方法おいては、レンズフィルムに常にテンション（張力）を掛け続け、且つ、レンズフィルム全体をシワや弛みが発生しないように、簡単に保持できるようにすることが求められていた。
【０００３】
【発明が解決しようとする課題】
上記のように、プロジェクションスクリーン用に連続生産される自立性のない薄いリニアフレネルレンズフィルムに対しては、フィルム自体を枠体やキャビネット等の支持体に支持しながら張る展張の際に、確実な固定ができて、フィルムに対してシワや弛みを発生させずに、テンション（張力）をかけ続けることができ、且つ、固定にはコツを必要としない簡単な、展張支持治具が求められていた。
本発明は、このような状況のもと、プロジェクションスクリーン用のフィルム、シート類に対し、比較的簡単な構造で、且つ、フィルム、シート類に対してシワや弛みを発生させずに、確実な固定ができて、テンション（張力）を掛け続けることができる展張支持治具を提供しようとするものである。
【０００４】
【課題を解決するための手段】
本発明のフィルム、シート類の展張支持治具は、自立性のない合成樹脂製のフィルム、シート類を、自立性のある板の一面に沿わせて、該自立性のある板の展張する方向の両端側面にて貼り付け、且つ、フィルム、シート類を間に介して自立性のある板を、四角形の枠体に嵌合することにより、フィルム、シート類を枠体に展張支持するための治具であって、自立性のある板は、フィルム、シート類を展張する面側の展張する方向の両端にＲ状の凸部が設けられており、該Ｒ状の凸部および板側面部を含む板周辺部において枠体にフィルム、シート類を介して嵌合するものであり、フィルム、シート類を自立性のある板に沿わせてシート側面にて貼り付けた際には、自立性のある板の両端のＲ状の凸部から板側面にかけてフィルム、シートとの間に隙間が形成されており、枠体のフィルム、シート類と接する側に、枠体にフィルム、シート類を間に介して板を嵌合する際に、フィルム、シート類を押し延ばしながら前記隙間を無くし、嵌合できる角部を設けていることを特徴とするものである。
そして、上記におけるにおけるフィルム、シート類がプロジェクションスクリーン用のフィルムないしシートで、自立性のある板は、少なくとも一面にレンズを配設したレンズシートであり、且つ、フィルム、シート類をレンズ面側に沿わせて、自立性のあるシートのフィルムシートを展張する方向の両端側面にて貼り付けるものであることを特徴とするものであり、レンズシートのＲ状の凸部の高さは、レンズ面の高さよりも高いことを特徴とするものである。
そしてまた、上記における角部は、展張する力（展張力）を調整するための弾力性を有するものであることを特徴とするものである。
また、上記において、１組みの対向する２辺にてフィルム、シート類を展張支持していることを特徴とするものである。
そして、上記における、自立性のある板へのフィルム、シート類の貼り付けは、ヒートシール法ないし超音波融着法により固定したものであることを特徴とするものである。
尚、ここでは、プロジェクションスクリーン用のフィルムないしシートとは、その面にレンズを形成してあるものと、していないものの両方を含む。
また、Ｒ状の凸部とは外部側に向かい断面が円弧状の突起をもつもので、レンズシートのレンズ形成面側に形成される。
【０００５】
【作用】
本発明のフィルム、シート類の展張支持治具は、上記のように構成することにより、フィルム、シート類に対し、比較的簡単な構造で、且つ、フィルム、シート類に対してシワや弛みを発生させずに、確実な固定ができて、テンション（張力）を掛け続けることができる展張部材の提供を可能にしている。
詳しくは、本発明のフィルム、シート類の展張支持治具は、自立性のある板は、フィルム、シート類を展張する面側の展張する方向の両端にＲ状の凸部が設けられており、該Ｒ状の凸部および板側面部を含む板周辺部において枠体にフィルム、シート類を介して嵌合されるものであり、フィルム、シート類を自立性のある板に沿わせてシート側面にて貼り付けた際には、板の両端のＲ状の凸部から板側面にかけてフィルム、シートとの間に隙間が形成されており、枠体のフィルム、シート類と接する側に、枠体にフィルム、シート類を間に介して板を嵌合する際に、フィルム、シート類を押し延ばしながら前記隙間を無くし、嵌合できる角部を設けていることによりこれを達成している。
具体的には、フィルム、シート類がプロジェクションスクリーン用のフィルムないしシートであり、自立性のある板は、少なくとも一面にレンズを配設したレンズシートであり、且つ、フィルム、シート類をレンズ面側に沿わせて、自立性のある板のフィルム、シート類を展張する方向の両端側面にて貼り付けるものであることにより、そして、レンズシートのＲ状の凸部の高さは、レンズ面の高よりも高いこととすることにより、プロジェクションスクリーン用のフィルムないしシートの展張支持において、レンズシートのレンズ形成面やレンズ形状の影響を受けないで、展張支持を有効にできるものとしている。
そして、角部が、展張する力（展張力）を調整するための弾力性を有するものであることにより、環境の変化等にも対応できるものとしている。
また、フィルム、シート類を、自立性のある板の側面へヒートシール法ないし超音波融着法により固定したものであることにより、フィルム、シート類の枠体への貼り付けを簡単なものとしている。
尚、外枠に外装枠の機能を兼ね備えて持たすことにより、全体を簡単な構造とできる。更に、枠体を四角形とし、１組みの対向する２辺の側のみで、フィルム、シート類を展張支持することにより、全体を簡単な構造とできる。
【０００６】
【実施例】
本発明のフィルム、シート類の展張支持治具の実施例を図にもとづいて説明する。
先ず、実施例のフィルム、シート類の展張支持治具を挙げる。
図１（ａ）は本実施例のフィルム、シート類の展張支持治具を用いて展張支持を完了した後の状態を示した平面図であり、図１（ｂ）は図１（ａ）のＡ１−Ａ２におけるの断面図であり、図２（ａ）は自立性のある板からなるレンズシートにフィルムを展張した状態の断面図であり、図２（ｂ）はＢ部における拡大図である。
図１、図２中、１００は展張支持治具、１１０はフィルム、１２０は枠体、１２１は角部、１２２はＲ状の凹部、１２５はレンズシート固定部、１３０はレンズシート（自立性のある板））、１３１は板状シート、１３１Ｓは側面、１３３はレンズ部、１３５はＲ状の凸部、１４０は隙間、１５０はヒートシール部である。
本実施例のフィルム、シート類の展張支持治具は、自立性のない合成樹脂製のフィルム、シート類を、自立性のあるレンズシートに沿わせて、シワや弛みが発生しないように展張支持するためプロジェクションスクリーン用の展張支持治具で、図２に示すように、レンズシート１３０のレンズ部１３３側にフィルム１１０を張ったものを、フィルム１１０側が枠体１２０に接するようにして、図１に示すように嵌合することにより、展張支持を行うものである。
特に、本実施例の展張支持治具は、自立性のないフィルムないしシートからなるテレビ用プロジェクションスクリーンを、自立性のあるレンズシートに展張支持して使用する場合に有効なものであるが、用途はこれに限定されない。
【０００７】
本実施例のフィルムの展張および支持について以下簡単に説明しておく。
図２に示すように、レンズシート１３０の板状のシート１３１の側面１３１Ｓにフィルム１１０の端をヒートシールにて張りつけており、且つ、フィルム１１０の展張する方向のレンズシート１３０の両端には、円弧状のＲ状の凸部１３５を設けていることにより、フィルム１１０をレンズシート１３０に張った際には、Ｒ状の凸部１３５からレンズシートの板状シート１３１の側面１３１Ｓにわたり隙間１４０が生じているが、この図２に示すフィルム１１０を張ったレンズシート１３０を、フィルム１１０を間に介して枠体１２０に嵌合させると、枠体の角部１２１に押されるようにして、フィルム１１０全体が延び、隙間１４０は次第に少なくなり、図１（ｂ）に示すようにほぼ無くなってしまう。
即ち、隙間１４０を無くすように、フィルム１１０が延びることにより、フィルム全体が展張されるのである。
また、レンズシート１３０の板状シート１３１の側面１３１Ｓにてフィルムの端は、ヒートシールにより貼りつけられており、且つ、レンズシート１３０を枠体１２０に嵌合させた際には図１（ｂ）に示すように、ヒートシール部１５０やフィルム１１０の端は枠体１２０とレンズシート１３０に挟さまれて固定される。これによりフィルム１１０の支持がなされている。
尚、フィルム１１０をレンズシート１３０へ沿わせて張る際の固定は、ヒートシールの他には超音波融着法等でも簡単に可能であるが、固定の仕方は、特にこれらに限定されない。
【０００８】
本実施例においては、枠体１２０に、レンズシート１３０のＲ状の凸部１３５と同じ形状で、フィルム１１０を間に介して、隙間なく嵌合するようにＲ状の凹部１２２を設けていることにより、展張をより確実としている。
枠体１２０の材質としては、ポリプロピレンを用いたが、展張する力の度合に応じて、より固いポリ塩化ビニルやアルみなどの金属材料をも用いることもできる。
【０００９】
枠体の変形例としては、Ｒ状の凹部１２２や角部１２１を、図４（ａ）に示すようにすることもできる。この場合に図４（ｂ）に示すようにして、枠体１２０に嵌合して、角部４２１によりフィルム４１０の展張が行われる。
また図５（ａ）に示す形状も挙げられる。この場合も、図５（ｂ）に示すように、嵌合の際、角部５２１によりフィルム５１０の展張が行われる。
尚、図４に示す角部４２１部や図５に示す角部５２１には、フィルムを展張する力（展張力）に対抗できる適当な弾力性をもつ材質が要求される。
【００１０】
本実施例は、ほぼ四角形状の枠体１２０の対向する１組みの２辺において、レンズシート１３０とフィルム１２０を間に介して嵌合するもので、レンズシート１３０の展張する方向を１方向としており、展張支持を簡単なものとしている。尚、より強固に展張したいのであれば、４辺ともこの方法と同様な方法で固定することで、左右、上下ともに展張が可能となる。
また、レンズシート１３０のＲ状の凸部（Ｒ状の凸部）１３５の高さは、レンズシート１３０のレンズ部１３３のレンズ面の高さよりも高いことにより、レンズの形状に影響を受けない。
【００１１】
図３に基づいて、本実施例のフィルム、シート類の展張支持治具１００の動作を、更に詳しく説明する。
尚、説明を簡単にするため、図３は図１（Ａ）に示すＡ３−Ａ４における断面のみを示す。
先ず、フィルム１１０を張ったレンズシート１３０と枠体１２０とを用意し、枠体１２０とレンズシート１３０とがフィルム１１０を間に介して嵌合する位置に合わせて次第に近づける。（図３（ａ））
次いで、枠体１２０の側面側内壁をヒートシール部１５０がある板状のシート１３１の側面１３１Ｓに当てながら、次第に嵌合していく。（図３（ｂ））
嵌合が進むにしたがい、角部１２１がフィルム１１０に接するようになり、フィルム１１０を押し、フィルム１１０全体を延ばすようにして隙間１４０を次第に狭くしていく。（図３（ｃ））
この際、枠体１２０の側面側内壁のレンズシート固定部１２５は側面１３１Ｓを次第に通過していく。
そして、枠体１２０のレンズシート固定部１２５が側面１３１Ｓを通過し終わると同時に、Ｒ状の凸部１３５にＲ状の凹部１２２がフィルム１１０を介して隙間なく嵌まり、図３（ａ）〜図３（ｃ）に示す隙間１４０は無くなる。（図３（ｄ））
さらに固定に関しては、ヒートシール部１５０にフィルム１１０を余分に接着することで、嵌合させたときにレンズシート固定部１２５によりレンズシート１３０の裏側に巻き込るれるため固定がより確実となる。
【００１２】
【効果】
本発明は、上記のように、簡単な構造で確実にフィルム、シート類の展張支持ができる、フィルム、シート類の展張支持治具の提供を可能とするものである。特に、テレビ用プロジェクションスクリーンに使用される、自立性のない薄いフィルムないしシートを自立性のあるレンズシートに沿わせて展張する際に、展張支持を確実にできる簡単な治具の提供を可能にした。
【図面の簡単な説明】
【図１】実施例のフィルム、シート類の展張治具の図
【図２】レンズシートにフィルムを張った状態を説明するための図
【図３】フィルム、シート類を展張支持する動作を説明するための図
【図４】枠体の変形例を説明するための図
【図５】枠体の変形例を説明するための図
【符号の説明】
１００                          展張支持治具
１１０                          フィルム
１２０                          枠体
１２１                          角部
１２２                          Ｒ状の凹部
１２５                          レンズシート固定部
１３０                          レンズシート（自立性のある板）
１３１                          板状シート
１３３                          レンズ部
１３５                          Ｒ状の凸部
１４０                          隙間
１５０                          ヒートシール部
４１０、５１０                  フィルム
４２０、５２０                  枠体
４２１、５２１                  角部
４２２                          凹部
４２５、５２５                  レンズシート固定部
４３０、５３０                  レンズシート
４３１、５３１                  板状シート
４３５、５３５                  Ｒ状の凸部
４４０、５４０                  隙間
４５０、５５０                  ヒートシール部
【図１】
0003594742.tif 000002
【図２】
0003594742.tif 000003
【図３】
0003594742.tif 000004
【図４】
0003594742.tif 000005
【図５】
0003594742.tif 000006